(57)【要約】【課題】  容器から取り外されることを防止できるだけでなく、容器に円滑に取り付けることができるキャップ及びそのキャップを備えるキャップ付き容器を提供する。【解決手段】  容器１及びキャップ本体２１は、径方向に突出する突出部１１３，２１２をそれぞれ備え、各突出部１１３，２１２は、キャップ２が開位置から緩め方向Ｐに回転されて容器１から取り外れることを防止すべく、螺旋方向で互いに係止し合う係止部１１３ａ，２１２ａを螺旋方向の基端側に備えると共に、キャップ２が容器１に取り付けられるべく締め方向Ｃに回転されて開位置に位置する際に、互いに摺接し合う摺接部１１３ｂ，２１２ｂを備え、各摺接部１１３ｂ，２１２ｂは、螺旋方向において係止部１１３ａ，２１２ａに向けて突出量が次第に大きくなるように形成されることを特徴とする。【選択図】  図５
2013119408.tif 000002
【特許請求の範囲】
【請求項１】
容器の開口部を閉じるべく、容器のネジ部と螺合するキャップ本体と、容器のネジ部と螺合するネジ部を有し且つ容器の開口部を開閉できるようにキャップ本体に接続される蓋体とを備え、容器に対して回転されることにより、開口部を閉じるべく蓋体が容器のネジ部と螺合する閉位置と、開口部を開くべく蓋体が容器のネジ部との螺合を解除する開位置とに位置変更可能に構成され、
キャップ本体は、径方向に突出するキャップ突出部を備え、
キャップ突出部は、開位置から緩め方向に回転されて容器から取り外れることを防止すべく、容器の径方向に突設される突出部をネジ部の螺旋方向で係止する係止部を螺旋方向の基端側に備えるキャップにおいて、
キャップ突出部は、容器に取り付けられるべく締め方向に回転されて開位置に位置する際に、容器の突出部に摺接する摺接部を備え、
摺接部は、螺旋方向において係止部に向けて突出量が次第に大きくなるように形成されることを特徴とするキャップ。
【請求項２】
開口部を有する容器と、容器の開口部を閉じるべく容器のネジ部に螺着されるキャップとを備え、
キャップは、容器のネジ部と螺合するネジ部を有するキャップ本体と、容器のネジ部と螺合するネジ部を有し且つ容器の開口部を開閉できるようにキャップ本体に接続される蓋体とを備え、容器に対して回転されることにより、開口部を閉じるべく蓋体が容器のネジ部と螺合する閉位置と、開口部を開くべく蓋体が容器のネジ部との螺合を解除する開位置とに位置変更可能に構成され、
容器及びキャップ本体は、径方向に突出する突出部をそれぞれ備え、
各突出部は、キャップが開位置から緩め方向に回転されて容器から取り外れることを防止すべく、ネジ部の螺旋方向で互いに係止し合う係止部を螺旋方向の基端側に備えるキャップ付き容器において、
各突出部は、キャップが容器に取り付けられるべく締め方向に回転されて開位置に位置する際に、互いに摺接し合う摺接部を備え、
各摺接部は、螺旋方向において係止部に向けて突出量が次第に大きくなるように形成されることを特徴とするキャップ付き容器。
【請求項３】
容器及びキャップ本体のうち、一方は、開位置に位置するキャップを開位置で保持すべく、径方向に突出し且つ他方の突出部の摺接部を係止する保持部を備え、
保持部は、螺旋方向において中央部に向けて突出量が次第に大きくなるように形成される請求項２に記載のキャップ付き容器。
【請求項４】
一方の突出部は、容器のネジ部及びキャップ本体のネジ部のうち、一方のネジ山の少なくとも一部を構成し、
他方の突出部は、容器のネジ部及びキャップ本体のネジ部のうち、他方のネジ溝に配置される請求項２又は３に記載のキャップ付き容器。
【請求項５】
容器のネジ部及びキャップ本体のネジ部のうち、前記一方のネジ山は、キャップ本体が容器に対してがたつくのを抑制すべく、他方のネジ部と螺合する螺合部を備え、
螺合部は、一方の突出部と螺旋方向で離間して配置されると共に、一方の突出部よりも螺旋方向の基端側に配置される請求項４に記載のキャップ付き容器。
【請求項６】
螺合部は、キャップが閉位置に位置する際に、先端側が前記他方の突出部の先端側と圧接するように配置される請求項５に記載のキャップ付き容器。
【請求項７】
キャップは、キャップ本体の外周に沿って配置される環状体を備え、
容器のネジ部は、雄ネジであると共に、蓋体及びキャップ本体のネジ部は、雌ネジであり、
容器は、径方向外方に突出し且つネジ部よりも基端側に配置されるフランジ部を備え、
環状体は、キャップ本体が蓋体と接する状態でキャップ本体を保持すべく、キャップ本体の外周部と接する接合部と、径方向内方に突出し且つフランジ部の基端側を軸線方向で掛止する掛止部とを備え、
蓋体及び環状体の少なくとも何れか一方は、他方と連結し且つ掛止部がフランジ部を掛止する状態でキャップが容器に対して緩め方向に回転されることに伴って切断される連結片を備える請求項２〜６の何れか１項に記載のキャップ付き容器。
【発明の詳細な説明】
【技術分野】
【０００１】
本発明は、容器の開口部を閉じるべく容器のネジ部に螺着されるキャップに関する。また、本発明は、開口部を有する容器と、容器の開口部を閉じるべく容器のネジ部に螺着されるキャップとを備えるキャップ付き容器に関する。
【背景技術】
【０００２】
従来、キャップ付き容器として、開口部を有する容器と、容器の開口部を閉じるべく容器のネジ部に螺着されるキャップとを備え、キャップは、容器のネジ部と螺合するネジ部を有するキャップ本体と、容器のネジ部と螺合するネジ部を有し且つ容器の開口部を開閉できるようにキャップ本体に接続される蓋体とを備えるキャップ付き容器が知られている（例えば、特許文献１）。
【０００３】
斯かるキャップ付き容器においては、キャップが容器に対して回転されることにより、蓋体のネジ部と容器のネジ部とが螺合する状態では、蓋体で開口部を閉じる状態が維持される一方、蓋体のネジ部と容器のネジ部との螺合が解除された状態では、蓋体を開口部から外して、開口部を開くことができる。そして、容器及びキャップ本体が径方向に突出する突出部をそれぞれ備えており、各突出部がネジ部の螺旋方向で互いに係止し合うことにより、キャップが緩め方向に回転されて容器から外れることを防止している。
【先行技術文献】
【特許文献】
【０００４】
【特許文献１】特開平８−３３７２５６号公報
【発明の概要】
【発明が解決しようとする課題】
【０００５】
ところで、特許文献１に係るキャップ付き容器においては、キャップを締め方向に回転させる方法でキャップを容器に取り付けようとしても、各突出部がネジ部の螺旋方向で互いに係止し合うため、斯かる方法では、キャップを容器に取り付けることができない。したがって、キャップを容器に軸線方向で押し込む（嵌め込む）方法で、キャップを容器に取り付ける必要があるため、容器のネジ部とキャップ（蓋体及びキャップ本体）のネジ部とが軸線方向で干渉し合い、キャップを容器に円滑に取り付けることができない。
【０００６】
よって、本発明は、斯かる事情に鑑み、容器から取り外されることを防止できるだけでなく、容器に円滑に取り付けることができるキャップを提供することを課題とし、また、取り付けられたキャップを容器から取り外されることを防止できるだけでなく、キャップを容器に円滑に取り付けることができるキャップ付き容器を提供することを課題とする。
【課題を解決するための手段】
【０００７】
本発明に係るキャップは、容器の開口部を閉じるべく、容器のネジ部と螺合するキャップ本体と、容器のネジ部と螺合するネジ部を有し且つ容器の開口部を開閉できるようにキャップ本体に接続される蓋体とを備え、容器に対して回転されることにより、開口部を閉じるべく蓋体が容器のネジ部と螺合する閉位置と、開口部を開くべく蓋体が容器のネジ部との螺合を解除する開位置とに位置変更可能に構成され、キャップ本体は、径方向に突出するキャップ突出部を備え、キャップ突出部は、キャップが開位置から緩め方向に回転されて容器から取り外れることを防止すべく、容器の径方向に突設される突出部をネジ部の螺旋方向で係止する係止部を螺旋方向の基端側に備えるキャップにおいて、キャップ突出部は、キャップが容器に取り付けられるべく締め方向に回転されて開位置に位置する際に、容器の突出部に摺接する摺接部を備え、摺接部は、螺旋方向において係止部に向けて突出量が次第に大きくなるように形成されることを特徴とする。
【０００８】
本発明に係るキャップによれば、キャップ本体には、径方向に突出するキャップ突出部が設けられており、そのキャップ突出部における螺旋方向の基端側には、係止部が設けられている。そして、係止部が容器の径方向に突設される突出部をネジ部の螺旋方向で係止するため、開位置から緩め方向に回転されて容器から取り外れることを防止することができる。
【０００９】
さらに、キャップ突出部には、摺接部が設けられており、その摺接部は、螺旋方向において係止部に向けて突出量が次第に大きくなるように形成されている。そして、容器に取り付けられるべく締め方向に回転されると、摺接部が容器の突出部に摺接することで、キャップ突出部が容器の突出部を乗り越える。これにより、開位置に位置し、さらには、閉位置に位置することで、容器に取り付けられる。
【００１０】
また、本発明に係るキャップ付き容器は、開口部を有する容器と、容器の開口部を閉じるべく容器のネジ部に螺着されるキャップとを備え、キャップは、容器のネジ部と螺合するネジ部を有するキャップ本体と、容器のネジ部と螺合するネジ部を有し且つ容器の開口部を開閉できるようにキャップ本体に接続される蓋体とを備え、容器に対して回転されることにより、開口部を閉じるべく蓋体が容器のネジ部と螺合する閉位置と、開口部を開くべく蓋体が容器のネジ部との螺合を解除する開位置とに位置変更可能に構成され、容器及びキャップ本体は、径方向に突出する突出部をそれぞれ備え、各突出部は、キャップが開位置から緩め方向に回転されて容器から取り外れることを防止すべく、ネジ部の螺旋方向で互いに係止し合う係止部を螺旋方向の基端側に備えるキャップ付き容器において、各突出部は、キャップが容器に取り付けられるべく締め方向に回転されて開位置に位置する際に、互いに摺接し合う摺接部を備え、各摺接部は、螺旋方向において係止部に向けて突出量が次第に大きくなるように形成されることを特徴とする。
【００１１】
本発明に係るキャップ付き容器によれば、容器及びキャップ本体には、径方向に突出する突出部がそれぞれ設けられており、その各突出部における螺旋方向の基端側には、係止部が設けられている。そして、各係止部がネジ部の螺旋方向で互いに係止し合うため、キャップが開位置から緩め方向に回転されて容器から取り外れることを防止できる。
【００１２】
さらに、各突出部には、摺接部が設けられており、その各摺接部は、螺旋方向において係止部に向けて突出量が次第に大きくなるように形成されている。そして、キャップが容器に取り付けられるべく締め方向に回転されると、各摺接部が互いに摺接し合うため、キャップ本体の突出部が容器の突出部を乗り越える。これにより、キャップが開位置に位置し、さらには、キャップが閉位置に位置することで、キャップを容器に取り付けることができる。
【００１３】
また、本発明に係るキャップ付き容器においては、容器及びキャップ本体のうち、一方は、開位置に位置するキャップを開位置で保持すべく、径方向に突出し且つ他方の突出部の摺接部を係止する保持部を備え、保持部は、螺旋方向において中央部に向けて突出量が次第に大きくなるように形成されてもよい。
【００１４】
斯かる構成のキャップ付き容器によれば、容器及びキャップ本体のうち一方には、径方向に突出する保持部が設けられている。そして、キャップが開位置に位置している際に、一方の突出部の係止部が他方の突出部の係止部を係止すると共に、保持部が他方の突出部の摺接部を係止するため、キャップを開位置で保持することができる。
【００１５】
さらに、保持部は、螺旋方向において中央部に向けて突出量が次第に大きくなるように形成されている。これにより、キャップが緩め方向に回転されて閉位置から開位置に位置変更する際には、他方の突出部が保持部の基端側と摺接するため、他方の突出部が保持部を乗り越える一方、キャップが締め方向に回転されて開位置から閉位置に位置変更する際には、他方の突出部が保持部の先端側と摺接するため、他方の突出部が保持部を乗り越える。
【００１６】
また、本発明に係るキャップ付き容器においては、一方の突出部は、容器のネジ部及びキャップ本体のネジ部のうち、一方のネジ山の少なくとも一部を構成し、他方の突出部は、容器のネジ部及びキャップ本体のネジ部のうち、他方のネジ溝に配置されてもよい。
【００１７】
斯かる構成のキャップ付き容器によれば、一方の突出部は、容器のネジ部及びキャップ本体のネジ部のうち、一方のネジ山の少なくとも一部を構成すると共に、他方の突出部は、容器のネジ部及びキャップ本体のネジ部のうち、他方のネジ溝に配置されている。これにより、各突出部が容器及びキャップ本体のネジ部に配置されているため、例えば、容器やキャップにおける軸線方向の寸法を小さく設計することができる。
【００１８】
斯かる一例としては、容器の突出部がネジ部のネジ山の少なくとも一部を構成すると共に、キャップ本体の突出部がネジ部のネジ溝に配置されている構成である。また、斯かる他の例としては、キャップ本体の突出部がネジ部のネジ山の少なくとも一部を構成すると共に、容器の突出部がネジ部のネジ溝に配置されている構成である。
【００１９】
また、本発明に係るキャップ付き容器においては、容器のネジ部及びキャップ本体のネジ部のうち、前記一方のネジ山は、キャップ本体が容器に対してがたつくのを抑制すべく、他方のネジ部と螺合する螺合部を備え、螺合部は、一方の突出部と螺旋方向で離間して配置されると共に、一方の突出部よりも螺旋方向の基端側に配置されてもよい。
【００２０】
斯かる構成のキャップ付き容器によれば、一方の突出部で一部を構成する一方のネジ山には、他方のネジ部と螺合する螺合部が設けられている。具体的には、容器の突出部がネジ山の一部を構成すると共に、容器のネジ部のネジ山に螺合部が設けられる（又は、キャップ本体の突出部がネジ山の一部を構成すると共に、キャップ本体のネジ部のネジ山に螺合部が設けられる）ため、一方の突出部と螺合部とが他方のネジ部と螺合するため、キャップ本体が容器に対してがたつくのを抑制できる。
【００２１】
さらに、螺合部は、一方の突出部と螺旋方向で離間して配置されていると共に、一方の突出部よりも螺旋方向の基端側に配置されている。これにより、例えば、キャップが開位置と閉位置とに位置変更されるべく締め方向や緩め方向に回転される際や、キャップが容器に取り付けられるべく締め方向に回転される際に、螺合部が他方の突出部と接する（干渉する）ことも防止できる。したがって、容器に対してキャップを円滑に回転させることができる。
【００２２】
また、本発明に係るキャップ付き容器においては、螺合部は、キャップが閉位置に位置する際に、先端側が前記他方の突出部の先端側と圧接するように配置されてもよい。
【００２３】
斯かる構成のキャップ付き容器によれば、螺合部が突出部よりも所定間隔を有して螺旋方向の基端側に配置されており、しかも、キャップが閉位置に位置する際に、螺合部の先端側が他方の突出部の先端側と圧接する。したがって、閉位置に位置するキャップを閉位置で保持することができる。
【００２４】
また、本発明に係るキャップ付き容器においては、キャップは、キャップ本体の外周に沿って配置される環状体を備え、容器のネジ部は、雄ネジであると共に、蓋体及びキャップ本体のネジ部は、雌ネジであり、容器は、径方向外方に突出し且つネジ部よりも基端側に配置されるフランジ部を備え、環状体は、キャップ本体が蓋体と接する状態でキャップ本体を保持すべく、キャップ本体の外周部と接する接合部と、径方向内方に突出し且つフランジ部の基端側を軸線方向で掛止する掛止部とを備え、蓋体及び環状体の少なくとも何れか一方は、他方と連結し且つ掛止部がフランジ部を掛止する状態でキャップが容器に対して緩め方向に回転されることに伴って切断される連結片を備えてもよい。
【００２５】
斯かる構成のキャップ付き容器によれば、容器のネジ部が雄ネジであると共に、蓋体及びキャップ本体のネジ部が雌ネジである。そして、キャップには、キャップ本体の外周に沿って配置される環状体が設けられており、その環状体には、キャップ本体の外周部と接する接合部が設けられているため、キャップ本体が蓋体と接する状態でキャップ本体を保持することができる。これにより、例えば、キャップを容器に容易に取り付けることができる。
【００２６】
さらに、容器には、径方向外方に突出するフランジ部がネジ部よりも基端側に配設されていると共に、環状体には、径方向内方に突出する掛止部が設けられており、その掛止部がフランジ部の基端側を軸線方向で掛止する。加えて、蓋体及び環状体の少なくとも何れか一方には、他方と連結する連結片が設けられている。
【００２７】
そして、掛止部がフランジ部を掛止する状態で、キャップが容器に対して緩め方向に回転されると、掛止部がフランジ部を掛止しているため、蓋体が環状体と軸線方向で離反される。それに伴って、連結片が切断されるため、連結片が切断していることで、開封されたことを認識させることができる。
【発明の効果】
【００２８】
以上の如く、本発明に係るキャップによれば、容器から取り外されることを防止できるだけでなく、容器に円滑に取り付けることができるという優れた効果を奏する。また、本発明に係るキャップ付き容器によれば、取り付けられたキャップを容器から取り外されることを防止できるだけでなく、キャップを容器に円滑に取り付けることができるという優れた効果を奏する。
【図面の簡単な説明】
【００２９】
【図１】本発明の一実施形態に係るキャップ付き容器の図であって、（ａ）は閉塞状態における全体正面図、（ｂ）は同要部縦断面図、（ｃ）は開放可能状態における全体正面図、（ｄ）は同要部縦断面図を示す。
【図２】同実施形態に係る容器の全体図であって、（ａ）は正面図、（ｂ）はＡ−Ａ線における断端面図を示す。
【図３】同実施形態に係るキャップの全体図であって、（ａ）は正面図、（ｂ）は斜視図を示す。
【図４】同実施形態に係るキャップの全体図であって、（ａ）は図３（ａ）のＢ−Ｂ線における断端面図、（ｂ）は縦断面図を示す。
【図５】同実施形態に係るキャップ付き容器の作用を説明する図であって、（ａ）は全体斜視図、（ｂ）は要部横断端面図を示す。
【図６】同実施形態に係るキャップ付き容器の作用を説明する図であって、（ａ）は全体斜視図、（ｂ）は要部横断端面図を示す。
【図７】同実施形態に係るキャップ付き容器の作用を説明する図であって、（ａ）は全体斜視図、（ｂ）は要部横断端面図を示す。
【図８】同実施形態に係るキャップ付き容器の作用を説明する図であって、全体斜視図を示す。
【図９】本発明の他の実施形態に係るキャップの全体図であって、（ａ）は上方から見た斜視図、（ｂ）は下方から見た斜視図を示す。
【図１０】同実施形態に係るキャップの全体図であって、（ａ）は正面図、（ｂ）は縦断面図を示す。
【図１１】同実施形態に係るキャップ付き容器の作用を説明する図であって、（ａ）及び（ｂ）はそれぞれ要部正面図を示す。
【図１２】同実施形態に係るキャップ付き容器の作用を説明する図であって、（ａ）及び（ｂ）はそれぞれ要部正面図を示す。
【図１３】本発明のさらに他の実施形態に係るキャップ付き容器の部品図であって、（ａ）は容器の全体斜視図、（ｂ）はキャップの全体斜視図を示す。
【図１４】同実施形態に係るキャップ付き容器の図であって、（ａ）は閉塞状態における全体正面図、（ｂ）は同要部横断端面図、（ｃ）は開放可能状態における全体正面図、（ｄ）は同要部横断端面図を示す。
【発明を実施するための形態】
【００３０】
以下、本発明に係るキャップ付き容器における第１の実施形態について、図１〜図８を参酌して説明する。
【００３１】
本実施形態に係るキャップ付き容器は、図１〜図４に示すように、開口部１１１ａを有する容器１と、容器１の開口部１１１ａを閉じるべく容器１の容器ネジ部１１２に螺着されるキャップ２とを備える。そして、キャップ付き容器は、キャップ２が容器１に対して回転されることにより、開口部１１１ａを開放できない閉位置（図１（ａ）及び（ｂ））と、開口部１１１ａを開放できる開位置（図１（ｃ）及び（ｄ））とに、キャップ２を位置変更可能に構成されている。
【００３２】
なお、容器１において、開口部１１１ａ側、即ち、図１における上方側（上端部）を「先端側（先端部）」とし、図１における下方側（下端部）を「基端側（基端部）」と説明すると共に、キャップ２において、開放されている側、即ち、図１における下方側（下端部）を「先端側（先端部）」とし、図１における上方側（上端部）を「基端側（基端部）」として、以下説明する
【００３３】
容器１は、キャップ２を装着する装着部１１と、装着部１１よりも大径に形成され、内容物を収容可能な容器本体１２とを備え、装着部１１の軸線方向における基端部（下端部）と容器本体１２の軸線方向における先端部（上端部）とが連結して構成されている。なお、本実施形態においては、容器１は、硬質樹脂（例えば、プラスチック）で形成されている。
【００３４】
装着部１１は、円筒状に形成される装着部本体１１１を備え、装着部本体１１１の軸線方向における先端部に、開口部１１１ａを配置していると共に、装着部本体１１１の外周部に、雄ネジである容器ネジ部１１２を配置している。なお、本実施形態において、容器ネジ部１１２は、二条ネジとしている。また、装着部１１は、装着部本体１１１から径方向外方に突出する容器突出部１１３，１１３と、開位置に位置するキャップ２を開位置で保持する保持部１１４，１１４とを備える。
【００３５】
各容器突出部１１３は、キャップ２が容器１から取り外れることを防止すべく、容器ネジ部１１２の螺旋方向（ネジ山が延設される方向）でキャップ２を係止する容器係止部１１３ａを備える。また、各容器突出部１１３は、キャップ２が容器１に取り付けられる際に、キャップ２と摺接する容器摺接部１１３ｂを備える。そして、各容器突出部１１３は、容器ネジ部１１２のネジ溝に配置されている。
【００３６】
各容器係止部１１３ａは、容器突出部１１３における螺旋方向の基端側に配置されている。そして、各容器係止部１１３ａは、径方向に沿う平面状に形成されている。
【００３７】
各容器摺接部１１３ｂは、容器突出部１１３における螺旋方向の先端側に配置されている。そして、各容器摺接部１１３は、螺旋方向において容器係止部１１３ａに向けて、即ち、螺旋方向において先端側から基端側に向けて、装着部本体１１１からの突出量が次第に大きくなるように形成されている。
【００３８】
各保持部１１４は、キャップ２を係止すべく、装着部本体１１１から径方向外方に突出している。そして、各保持部１１４は、容器ネジ部１１２のネジ溝に配置されており、容器突出部１１３と離間して配置されていると共に、容器突出部１１３よりも螺旋方向の基端側に配置されている。
【００３９】
また、各保持部１１４は、螺旋方向において中央部に向けて、装着部本体１１１からの突出量が次第に大きくなるように形成されている。なお、各保持部１１４における装着部本体１１１からの突出量は、各容器突出部１１３における装着部本体１１１からの突出量よりも小さい。
【００４０】
キャップ２は、容器ネジ部１１２と螺合するキャップネジ部２１１を有するキャップ本体２１と、容器１の開口部１１１ａを閉塞するための蓋体２２とを備える。また、キャップ２は、容器１の開口部１１１ａを開閉できるように、キャップ本体２１と蓋体２２とを接続する接続部２３を備える。
【００４１】
なお、接続部２３は、本実施形態においてヒンジ機構としているが、斯かる構成に限られず、例えば、キャップ本体２１を蓋体２２に対して変位できる構成であればよい。また、本実施形態においては、キャップ２は、硬質樹脂（例えば、プラスチック）で形成されている。
【００４２】
キャップ本体２１は、円筒状に形成される基体部２１４を備えている。そして、キャップ本体２１は、基体部２１４の内周部に、雌ネジであるキャップネジ部２１１を配置している。
【００４３】
キャップネジ部２１１は、径方向内方に突出するキャップ突出部２１２，２１２と、キャップ本体２１が容器１に対してがたつくのを抑制すべく、径方向内方に突出し、容器ネジ部１１２と螺合する螺合部２１３，２１３とを備える。そして、キャップネジ部２１１は、一対のキャップ突出部２１２，２１２と一対の螺合部２１３，２１３とにより、ネジ山を構成している。
【００４４】
各キャップ突出部２１２は、キャップ２が容器１から取り外れることを防止すべく、螺旋方向で容器係止部１１３ａと係止し合うキャップ係止部２１２ａを備える。また、各キャップ突出部２１２は、キャップ２が容器１に取り付けられる際に、容器摺接部１１３ｂと摺接するキャップ摺接部２１２ｂを備える。そして、一対のキャップ突出部２１２，２１２は、径方向で互いに対面するように配置されている。
【００４５】
各キャップ係止部２１２ａは、キャップ突出部２１２における螺旋方向の基端側に配置されている。そして、各キャップ係止部２１２ａは、径方向に沿う平面状に形成されている。
【００４６】
各キャップ摺接部２１２ｂは、キャップ突出部２１２における螺旋方向の先端側に配置されている。そして、各キャップ摺接部２１２ｂは、螺旋方向においてキャップ係止部２１２ａに向けて、即ち、螺旋方向において先端側から基端側に向けて、基体部２１４からの突出量が次第に大きくなるように形成されている。
【００４７】
各螺合部２１３は、螺旋方向（周方向）における幅寸法が各キャップ突出部２１２の螺旋方向（周方向）における幅寸法よりも小さくなるように形成されている。また、各螺合部２１３は、軸線方向における幅寸法（高さ寸法）が各キャップ突出部２１２の軸線方向における幅寸法（高さ寸法）と同じになるように形成されている。さらに、各螺合部２１３は、基体部２１４からの突出量が各キャップ突出部２１２における基体部２１４からの突出量と同じになるように形成されている。
【００４８】
そして、各螺合部２１３は、キャップ突出部２１２と螺旋方向で離間して配置されていると共に、キャップ突出部２１２よりも螺旋方向の基端側に配置されている。また、一対の螺合部２１３，２１３は、径方向で互いに対面するように配置されていると共に、周方向で一対のキャップ突出部２１２，２１２の中間位置に配置されている。
【００４９】
基体部２１４は、軸線方向の先端側（下端側）がスリット２１４ａを有して、内周壁２１３ｂと外周壁２１３ｃとの二重構造となっており、内周壁２１４ｂが弾性変形できる構成になっている。なお、各キャップ突出部２１２は、二重構造である基体部２１４の軸線方向の先端側（下端部）に配置されている一方、各螺合部２１３は、内周壁２１３ｂ及び外周壁２１３ｃよりも厚い一重構造である基体部２１４の軸線方向の基端側（上端部）に配置されている。
【００５０】
蓋体２２は、円筒状に形成される蓋本体部２２１と、蓋本体部２２１の基端部（上端部）を閉塞し、容器１の開口部１１１ａを覆う蓋部２２２と、蓋部２２２の内側に配置され、容器１の開口部１１１ａを封止する弾性部（パッキン）２２３とを備える。また、蓋体２２は、蓋本体部２２１から径方向内方に突出し且つ容器ネジ部１１２と螺合する雌ネジの蓋体ネジ部２２４を備える。なお、蓋体ネジ部２２４は、キャップネジ部２１１と同じピッチとなるように形成されている。
【００５１】
そして、キャップ２が閉位置に位置する（図１（ａ）及び（ｂ））際には、蓋体ネジ部２２４が容器ネジ部１１２と螺合しているため、開口部１１１ａを開放できない状態であり、また、キャップ２が開位置に位置する（図１（ｃ）及び（ｄ））際には、蓋体ネジ部２２４が容器ネジ部１１２との螺合を解除しているため、開口部１１１ａを開放できる状態である。
【００５２】
本実施形態に係るキャップ付き容器の構成については以上の通りであり、次に、本実施形態に係るキャップ付き容器の作用について説明する。
【００５３】
まず、図５（ａ）に示すように、キャップ２が容器１から取り外されている状態から、キャップ２を締め方向Ｃに回転させる。これにより、容器ネジ部１１２とキャップネジ部２１１とが先端側から螺合する。具体的には、キャップ２は、キャップ突出部２１２、螺合部２１３の順に、容器ネジ部１１２と螺合する。
【００５４】
さらに、キャップ２を締め方向Ｃに回転させると、図５（ｂ）に示すように、容器突出部１１３とキャップ突出部２１２とが当接する。そして、容器摺接部１１３ｂとキャップ摺接部２１２ｂとが互いに摺接し合うことにより、内周壁２１４ｂが弾性変形し、キャップ突出部２１１が容器突出部１１３を乗り越える。
【００５５】
そして、キャップ２をさらに締め方向Ｃに回転させると、図６に示すように、キャップ２が閉位置に位置することで、キャップ２が容器１に取り付けられる。このとき、螺合部２１３の先端側が容器突出部１１３の先端側と圧接するため、閉位置に位置するキャップ２を閉位置で保持している。
【００５６】
次に、キャップ２を緩め方向Ｐに回転させると、キャップ突出部２１２が保持部１１４の基端側と摺接して、キャップ突出部２１２が保持部１１４を乗り越える。さらに、キャップ２を緩め方向Ｐに回転させると、図７に示すように、キャップ２が閉位置から開位置に位置変更する。
【００５７】
このとき、容器係止部１１３ａとキャップ係止部２１２ａが螺旋方向で互いに係止し合うため、キャップ２が開位置からさらに緩め方向Ｐに回転されて容器１から取り外れることを防止している。さらに、保持部１１４がキャップ摺接部２１２ｂを係止するため、キャップ２を開位置で保持している。
【００５８】
そして、接続部２３を介して蓋体２２を回動させると、図８に示すように、容器１の開口部１１１ａが開放される。このとき、一対のキャップ突出部２１２，２１２と一対の螺合部２１３，２１３とが容器ネジ部１１２と螺合しているため、キャップ本体２１が容器１に対してがたつくのを抑制している。
【００５９】
再度、キャップ２を開位置から閉位置に位置変更させる際には、接続部２３を介して蓋体２２を回動させ、図７に示す状態から、キャップ２を締め方向Ｃに回転させる。このとき、キャップ突出部２１２が保持部１１４の先端側と摺接して、キャップ突出部２１２が保持部１１４を乗り越える。そして、キャップ２をさらに締め方向Ｃに回転させると、図６に示すように、キャップ２を閉位置に位置させる。
【００６０】
以上より、本実施形態に係るキャップ付き容器によれば、容器１及びキャップ本体２１には、径方向に突出する突出部１１３，２１２がそれぞれ設けられている。そして、各突出部１１３，２１２における螺旋方向の基端側に設けられる係止部１１３ａ，２１２ａが、螺旋方向で互いに係止し合うため、キャップ２が開位置から緩め方向Ｐに回転されて容器１から取り外れることを防止できる。
【００６１】
さらに、各突出部１１３，２１２は、螺旋方向において係止部１１３ａ，２１２ａに向けて突出量が次第に大きくなるように形成されている摺接部１１３ｂ，２１２ｂを備えている。そして、キャップ２が容器１に取り付けられるべく締め方向Ｃに回転されると、各摺接部１１３ｂ，２１２ｂが互いに摺接し合うため、キャップ突出部２１２が容器突出部１１３を乗り越える。
【００６２】
これにより、キャップ２が開位置に位置し、さらには、キャップ２が閉位置に位置することで、キャップ２を容器１に取り付けることができる。したがって、取り付けられたキャップ２を容器１から取り外されることを防止できるだけでなく、キャップ２を容器１に円滑に取り付けることができる。
【００６３】
また、本実施形態に係るキャップ付き容器によれば、容器１が径方向に突出する保持部１１４を備えている。そして、キャップ２が開位置に位置している際に、容器係止部１１３ａがキャップ突出部２１２の基端側のキャップ係止部２１２ａを係止すると共に、保持部１１４がキャップ突出部２１２の先端側のキャップ摺接部２１２ｂを係止するため、キャップ２を開位置で保持することができる。
【００６４】
さらに、保持部１１４は、螺旋方向において中央部に向けて突出量が次第に大きくなるように形成されている。これにより、キャップ２が緩め方向Ｐに回転されて閉位置から開位置に位置変更する際には、キャップ突出部２１２が保持部１１４の基端側と摺接するため、キャップ突出部２１２が保持部１１４を乗り越える一方、キャップ２が締め方向Ｃに回転されて開位置から閉位置に位置変更する際には、キャップ突出部２１２が保持部１１４の先端側と摺接するため、キャップ突出部２１２が保持部１１４を乗り越える。
【００６５】
また、本実施形態に係るキャップ付き容器によれば、キャップ突出部２１２がキャップネジ部２１１のネジ山の一部を構成すると共に、容器突出部１１３が容器ネジ部１１２のネジ溝に配置されている。これにより、キャップネジ部２１１の軸線方向における寸法を小さく設計することができる。
【００６６】
また、本実施形態に係るキャップ付き容器によれば、キャップ突出部２１２がネジ山の一部を構成すると共に、キャップネジ部２１１のネジ山には、容器ネジ部１１２と螺合する螺合部２１３が設けられている。したがって、キャップ突出部２１２と螺合部２１３とが容器ネジ部１１２と螺合する（何れの方向でも係止し合う）ため、キャップ本体２１が容器１に対してがたつくのを抑制できる。
【００６７】
さらに、螺合部２１３は、キャップ突出部２１２と螺旋方向で離間して配置されていると共に、キャップ突出部２１３よりも螺旋方向の基端側に配置されている。これにより、キャップ２が閉位置に位置する際に、螺合部２１３の先端側が容器突出部１１３の先端側と圧接する。したがって、閉位置に位置するキャップ２を閉位置で保持することができる。
【００６８】
しかも、螺合部２１３がキャップ突出部２１２よりも所定間隔を有して螺旋方向の基端側に配置されていることで、キャップ２が開位置と閉位置とに位置変更されるべく締め方向Ｃや緩め方向Ｐに回転される際や、キャップ２が容器１に取り付けられるべく締め方向Ｃに回転される際に、螺合部２１３が容器突出部１１３と接する（干渉する）ことも防止できる。したがって、容器１に対してキャップ２を円滑に回転させることができる。
【００６９】
次に、本発明に係るキャップ付き容器における第２の実施形態について、図９〜図１２を参酌して説明する。なお、図９〜図１２において、図１〜図８の符号と同一の符号を付した部分は、第１実施形態と同一の構成又は要素を表す。
【００７０】
本実施形態に係る容器１０は、キャップ２０を装着する装着部１１０と、容器本体１２とを備える。また、装着部１１０は、装着部本体１１１と、容器ネジ部１１２と、容器突出部１１３，１１３と、保持部１１４，１１４とを備えると共に、さらに、径方向外方に突出し且つ容器ネジ部１１２よりも基端側に配置されるフランジ部１１５を備える。
【００７１】
本実施形態に係るキャップ２０は、容器ネジ部１１２と螺合するキャップネジ部２１１を有するキャップ本体２１０と、容器１０の開口部１１１ａを閉塞するための蓋体２２０と、容器１０の開口部１１１ａを開閉できるように、キャップ本体２１０と蓋体２２０とを接続する接続部２３とを備える。さらに、キャップ２０は、キャップ本体２１０の外周に沿って配置される環状体２４を備える。
【００７２】
キャップ本体２１０は、キャップネジ部２１１と、キャップ突出部２１２，２１２と、螺合部２１３，２１３と、基体部２１４とを備える。さらに、キャップ本体２１０は、基体部２１４の基端側から径方向外方に突出し且つ環状体２４の内周部と当接する複数の当接部２１５，…を備える。
【００７３】
蓋体２２０は、蓋本体部２２１と、蓋部２２２と、弾性部２２３と、蓋体ネジ部２２４とを備える。さらに、蓋体２２０は、環状体２４と連結し且つキャップ２０が容器１０に対して緩め方向Ｐに回転されることに伴って切断される複数の連結片２２５，…と、キャップ２０が容器１０に取り付けられる際に各連結片２２５が切断することを防止すべく、蓋本体部２２１の軸線方向の先端部から軸線方向に突出し、環状体２４と周方向で係合する蓋体係合部２２６，２２６とを備える。
【００７４】
環状体２４は、円筒状に形成され且つ一部の周壁が開放されてなる環状本体部２４１と、キャップ本体２１０の軸線方向の基端部が蓋体２２０の軸線方向の先端部と周方向に亘って接する状態でキャップ本体２１０を保持すべく、環状本体部２４１から径方向内方に突出し、キャップ本体２１０の外周部における当接部２１５と接する接合部２４２とを備える。
【００７５】
また、環状体２４は、環状本体部２４１から径方向内方に突出し且つフランジ部１１５の基端側を軸線方向で掛止する複数の掛止部２４３，…と、環状本体部２４１の軸線方向の先端部から軸線方向に突出し、蓋体係合部２２６と周方向で係合する環状体係合部２４４，２４４とを備える。
【００７６】
本実施形態に係るキャップ付き容器の構成は以上の通りであり、次に、本実施形態に係るキャップ付き容器の作用について説明する。
【００７７】
まず、キャップ２０が容器１０から取り外されている状態から、キャップ２０を締め方向Ｃに回転させることで、容器ネジ部１１２とキャップネジ部２１１とが先端側から螺合する。このとき、環状体２４の接合部２４２がキャップ本体２１０の各当接部２１５と圧接しているため、キャップ本体２１０の基端部と蓋体２２０の先端部とが接する状態で、キャップ本体２１０が保持されている。
【００７８】
これにより、蓋体２２０を把持してキャップ２０を回転させるだけで、キャップ２０は、キャップ突出部２１２、螺合部２１３、蓋体ネジ部２２４の順に、容器ネジ部１１２と螺合する。しかも、各蓋体係合部２２６と各環状体係合部２４４とが周方向で係合するため、蓋体２２０と環状体２４とが一体的となって回転するため、各連結片２２５が切断することを防止している。
【００７９】
そして、キャップ２０を締め方向Ｃに継続して回転させると、図１１（ａ）に示すように、キャップ２０が閉位置に位置し、キャップ２０が容器１０に取り付けられる。このとき、環状体２４の各掛止部２４３が容器１０のフランジ部１１５を乗り越して、各掛止部２４３がフランジ部１１５の基端側を軸線方向で掛止する状態になる。
【００８０】
次に、キャップ２０を緩め方向Ｐに回転させると、各掛止部２４３がフランジ部１１５を掛止しているため、蓋体２２０が環状体２４と軸線方向で離反され、それに伴って、各連結片２２５が切断される。そして、キャップ２０が閉位置から開位置に位置変更した後に、接続部２３を介して蓋体２２０を回動させると、図１１（ｂ）に示すように、容器１０の開口部１１１ａが開放される。
【００８１】
再度、キャップ２０を開位置から閉位置に位置変更させる際には、不要となった環状体２４を容器１０から取り外した後、接続部２３を介して蓋体２２０を回動させ、図１２（ａ）に示すように、キャップ２０で容器１０の開口部１１１ａを閉塞させる。斯かる状態から、キャップ２０を締め方向Ｃに回転させることで、図１２（ｂ）に示すように、キャップ２０が閉位置に位置する。
【００８２】
以上より、本実施形態係るキャップ付き容器によれば、キャップ本体２１０の外周に沿って配置される環状体２４には、キャップ本体２１０の外周部の各当接部２１５と圧接する接合部２４２が設けられているため、キャップ本体２１０の基端部が蓋体２２０の先端部と接する状態でキャップ本体２１０を保持することができる。これにより、例えば、キャップ本体２１０を手や装置（キャッパー）で保持することなく、蓋体２２０を操作することで、キャップ２０を容器１０に容易に取り付けることができる。
【００８３】
さらに、環状体２４には、径方向内方に突出する複数の掛止部２４３，…が設けられている。そして、各掛止部２４３が容器１０のフランジ部１１５の基端側を軸線方向で掛止する状態で、キャップ２０が容器１０に対して緩め方向Ｐに回転されると、蓋体２２０が環状体２４と軸線方向で離反される。それに伴って、環状体２４と連結していた蓋体２２０の各連結片２２５が切断されるため、各連結片２２５が切断していることで、開封されたことを認識できる。
【００８４】
なお、本発明に係るキャップ及びキャップ付き容器は、上記した実施の形態に限定されるものではなく、本発明の要旨を逸脱しない範囲内において種々変更を加え得ることは勿論である。また、上記した複数の実施形態の各構成や各方法等を任意に採用して組み合わせてもよく（１つの実施形態に係る各構成や各方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００８５】
上記第１及び第２実施形態に係るキャップ２，２０及びキャップ付き容器においては、キャップ突出部２１２がキャップネジ部２１１のネジ山の一部を構成し、容器突出部１１３が容器ネジ部１１２のネジ溝に配置される構成を説明したが、斯かる構成に限られない。例えば、図１３及び図１４に示すように、突出部３１４，４１３は、ネジ部３１２，４１１と離間して配置される構成でもよい。以下、図１３及び図１４に係るキャップ付き容器について説明する。
【００８６】
容器３は、キャップ４に装着される装着部３１を備え、該装着部３１は、軸線方向における先端部に開口部３１１ａを有する円筒状の装着部本体３１１を備える。そして、装着部３１は、装着部本体３１１の外周部における基端側に配置される雄ネジの第１容器ネジ部３１２と、装着部本体３１１の外周部における先端側に配置される雄ネジの第２容器ネジ部３１３とを備える。なお、第２容器ネジ部３１３は、第１容器ネジ部３１２よりも小径であって、第１容器ネジ部３１２と同じピッチとなるように形成されている。
【００８７】
また、装着部３１は、装着部本体３１１から径方向外方に突出する容器突出部３１４，３１４を備える。さらに、装着部３１は、装着部本体３１１から径方向外方に突出し且つ開位置に位置するキャップ４を開位置で保持する第１保持部３１５，３１５と、装着部本体３１１から径方向外方に突出し且つ閉位置に位置するキャップ４を閉位置で保持する第２保持部３１６，３１６とを備える。
【００８８】
各保持部３１５，３１６は、螺旋方向において中央部に向けて突出量が次第に大きくなるように形成されている。また、各第１保持部３１５は、第２保持部３１６と螺旋方向で離間して配置されていると共に、第２保持部３１６よりも螺旋方向の先端側に配置されている。
【００８９】
キャップ４は、第１容器ネジ部３１２と螺合する雌ネジのキャップネジ部４１１を有するキャップ本体４１と、第２容器ネジ部３１３と螺合する雌ネジの蓋体ネジ部４２１を有する蓋体４２とを備える。そして、キャップ４は、キャップ本体４１と蓋体４２とを接続する接続部４３を備える。
【００９０】
キャップ本体４１は、円筒状に形成される基体部４１２と、基体部４１２から径方向外方に突出するキャップ突出部４１３，４１３とを備える。そして、キャップネジ部４１１のネジ山は、螺旋方向に沿って断続的に配置されるネジ山片４１１ａ，…を備え、基体部４１２の内周部に配置されている。
【００９１】
斯かる構成によれば、各突出部３１４，４１３は、螺旋方向において基端側に向けて突出量が次第に大きくなるように形成されている摺接部３１４ｂ，４１３ｂを備えている。そして、キャップ４が容器３に取り付けられるべく締め方向Ｃに回転されると、各摺接部３１４ｂ，４１３ｂが互いに摺接し合うため、キャップ突出部４１３が容器突出部３１４を乗り越える。
【００９２】
これにより、キャップ４が開位置に位置し、さらには、キャップ４が閉位置に位置することで、キャップ４を容器３に取り付けることができる。また、図１４（ａ）及び図１４（ｂ）に示すように、キャップ４が閉位置に位置している際には、各キャップ突出部４１３が容器３の第２保持部３１６と圧接している。したがって、閉位置に位置するキャップ４を閉位置で保持することができる。
【００９３】
また、図１４（ｃ）及び図１４（ｄ）に示すように、キャップ４が開位置に位置する際には、各突出部３１４，４１３における螺旋方向の基端側に設けられる係止部３１４ａ，４１３ａが、螺旋方向で互いに係止し合う。これにより、キャップ４が開位置から緩め方向Ｐに回転されて容器３から取り外れることを防止できる。
【００９４】
さらに、キャップ４が開位置に位置している際には、容器突出部３１４がキャップ突出部４１３の螺旋方向における基端側を係止すると共に、第１保持部３１５がキャップ突出部４１３の螺旋方向における先端側を係止する。これにより、開位置に位置するキャップ４を開位置で保持することができる。
【００９５】
また、上記第１及び第２実施形態に係るキャップ２，２０及びキャップ付き容器においては、容器ネジ部１１２が雄ネジであって、キャップネジ部２１１及び蓋体ネジ部２２４が雌ネジである構成を説明したが、斯かる構成に限られない。例えば、容器ネジ部が雌ネジであって、キャップネジ部及び蓋体ネジ部が雄ネジである構成でもよい。
【００９６】
また、上記第１及び第２実施形態に係るキャップ２，２０及びキャップ付き容器においては、各突出部１１３，２１２が二つ設けられる構成を説明したが、斯かる構成に限られない。例えば、各突出部は、一つ設けられる構成でもよく、また、三つ以上設けられる構成でもよい。
【００９７】
また、上記第１及び第２実施形態に係るキャップ付き容器においては、保持部１１４が容器１，１０に設けられる構成を説明したが、斯かる構成に限られない。例えば、保持部は、キャップに設けられる構成でもよく、また、容器とキャップとの双方にそれぞれ設けられる構成でもよい。
【００９８】
また、上記第１及び第２実施形態に係るキャップ２，２０及びキャップ付き容器においては、キャップ突出部２１２がキャップネジ部２１１のネジ山の一部である構成を説明したが、斯かる構成に限られない。例えば、キャップ突出部がキャップネジ部のネジ山の全体である構成、即ち、キャップネジ部のネジ山がキャップ突出部のみからなる構成でもよい。
【００９９】
また、上記第１及び第２実施形態に係るキャップ２，２０及びキャップ付き容器においては、キャップ突出部２１２がキャップネジ部２１１のネジ山の一部を構成し、容器突出部１１３が容器ネジ部１１２のネジ溝に配置される構成を説明したが、斯かる構成に限られない。例えば、容器突出部が容器ネジ部のネジ山の一部を構成し、キャップ突出部がキャップネジ部のネジ溝に配置される構成でもよく、さらに、斯かる構成において、容器ネジ部に、螺合部が設けられる構成でもよい。
【０１００】
また、上記第１及び第２実施形態に係るキャップ２，２０及びキャップ付き容器においては、各螺合部２１３の螺旋方向における幅寸法が、各キャップ突出部２１２の螺旋方向における幅寸法よりも小さい構成を説明したが、斯かる構成に限られない。例えば、螺合部は、螺旋方向に沿って延びるネジ山である構成でもよい。
【０１０１】
また、上記第１及び第２実施形態に係るキャップ２，２０及びキャップ付き容器においては、各螺合部２１３における基体部２１４からの突出量が各キャップ突出部２１２における基体部２１４からの突出量と同じである構成を説明したが、斯かる構成に限られない。例えば、各螺合部における基体部からの突出量は、各キャップ突出部における基体部からの突出量よりも大きい構成でもよい。
【０１０２】
また、上記第１及び第２実施形態に係るキャップ２，２０及びキャップ付き容器においては、各螺合部２１３は、キャップ２，２０が閉位置に位置する際に先端側が容器突出部１１３の先端側と圧接するように配置される構成を説明したが、斯かる構成に限られない。
【０１０３】
具体的には、螺合部は、第１及び第２実施形態に係る螺合部２１３よりも、さらに螺旋方向の基端側に配置される構成でもよい。斯かる構成によれば、キャップが閉位置に位置する際にも、即ち、何れの位置においても、螺合部が容器突出部１１３と接することを防止できる。
【０１０４】
また、上記第２実施形態に係るキャップ２０及びキャップ付き容器においては、連結片２２５，…が蓋体２２０に設けられる構成を説明したが、斯かる構成に限られない。例えば、連結片が環状体に設けられる構成でもよく、また、連結片が蓋体及び環状体の双方に設けられる構成でもよい。
【０１０５】
また、上記第２実施形態に係るキャップ２０及びキャップ付き容器においては、接合部２４２がキャップ本体２１０の当接部２１５，…と当接することで、キャップ本体２１０を保持する構成を説明したが、斯かる構成に限られない。例えば、接合部は、フック状に形成され、キャップ本体を掛止する構成でもよい。
【符号の説明】
【０１０６】
１，１０…容器、２，２０…キャップ、１１，１１０…装着部、１２…容器本体、２１，２１０…キャップ本体、２２，２２０…蓋体、２３…接続部、２４…環状体、１１１…装着部本体、１１１ａ…開口部、１１２…（容器）ネジ部、１１３…（容器）突出部、１１３ａ…（容器）係止部、１１３ｂ…（容器）摺接部、１１４…保持部、１１５…フランジ部、２１１…（キャップ）ネジ部、２１２…（キャップ）突出部、２１２ａ…（キャップ）係止部、２１２ｂ…（キャップ）摺接部、２１３…螺合部、２１４…基体部、２１４ａ…スリット、２１４ｂ…内周壁、２１４ｃ…外周壁、２１５…当接部、２２１…蓋本体部、２２２…蓋部、２２３…弾性部、２２４…（蓋体）ネジ部、２２５…連結片、２２６…蓋体係合部、２４１…環状本体部、２４２…接合部、２４３…掛止部、２４４…環状体係合部
【図１】
2013119408.tif 000003
【図２】
2013119408.tif 000004
【図３】
2013119408.tif 000005
【図４】
2013119408.tif 000006
【図５】
2013119408.tif 000007
【図６】
2013119408.tif 000008
【図７】
2013119408.tif 000009
【図８】
2013119408.tif 000010
【図９】
2013119408.tif 000011
【図１０】
2013119408.tif 000012
【図１１】
2013119408.tif 000013
【図１２】
2013119408.tif 000014
【図１３】
2013119408.tif 000015
【図１４】
2013119408.tif 000016